(57)【要約】  【課題】  糸屑の除去をより確実に行うことのできる洗濯乾燥機を提供する。  【解決手段】  有底筒状の水槽２と、水槽２内に回転可能に配される洗濯兼脱水槽３と、洗濯兼脱水槽３内に給水する第１給水路２５を有する給水装置３１と、洗濯兼脱水槽３内に温風を供給する温風供給装置２７とを備え、複数の運転コースから使用者の指示に基づいて選択された運転コースを実行して洗濯兼脱水槽３に投入された洗濯物を洗濯するとともに該洗濯物を乾燥する洗濯乾燥機１において、洗濯兼脱水槽３の外周面に対向する放水口２４ａを有した第２給水路２４を給水装置２７に設け、洗濯兼脱水槽３を回転しながら放水口２４ａから洗濯兼脱水槽３の外周面に向けて放水して洗濯兼脱水槽３に付着した糸屑を除去する糸屑除去コースを設けた。【選択図】      図１
2006314428.tif 000002
【特許請求の範囲】
【請求項１】
有底筒状の水槽と、前記水槽内に回転可能に配される洗濯兼脱水槽と、前記洗濯兼脱水槽内に給水する第１給水路を有した給水装置と、前記洗濯兼脱水槽内に温風を供給する温風供給装置とを備え、複数の運転コースから使用者の指示に基づいて選択された運転コースを実行して前記洗濯兼脱水槽に投入された洗濯物を洗濯するとともに該洗濯物を乾燥する洗濯乾燥機において、前記洗濯兼脱水槽の外周面に対向する放水口を有した第２給水路を前記給水装置に設け、前記洗濯兼脱水槽を回転しながら前記放水口から前記洗濯兼脱水槽の外周面に向けて放水して前記洗濯兼脱水槽に付着した糸屑を除去する糸屑除去コースを設けたことを特徴とする洗濯乾燥機。
【請求項２】
前記糸屑除去コースの運転時に前記洗濯兼脱水槽が第１回転数で回転する期間と第１回転数よりも高速な第２回転数で回転する期間とを設けたことを特徴とする請求項１に記載の洗濯乾燥機。
【請求項３】
第１回転数で前記洗濯兼脱水槽が回転した際に前記放出口から放出した水が前記洗濯兼脱水槽の外周面を流下するとともに、第２回転数で前記洗濯兼脱水槽が回転した際に前記放出口から放出した水が前記洗濯兼脱水槽から飛散することを特徴とする請求項２に記載の洗濯乾燥機。
【請求項４】
前記糸屑除去コースの運転時に第１給水路を閉止したことを特徴とする請求項１〜請求項３のいずれかに記載の洗濯乾燥機。
【請求項５】
前記洗濯兼脱水槽内の洗濯物の有無を検知する洗濯物検知手段を設け、前記糸屑除去コースの運転開始時に前記洗濯兼脱水槽内の洗濯物の有無を判別し、洗濯物が有る場合に前記糸屑除去コースの運転を中止することを特徴とする請求項１〜請求項４のいずれかに記載の洗濯乾燥機。
【請求項６】
有底筒状の水槽と、前記水槽内に回転可能に配される洗濯兼脱水槽と、前記洗濯兼脱水槽内に給水する給水装置と、前記洗濯兼脱水槽内に温風を供給する温風供給装置とを備え、複数の運転コースから使用者の指示に基づいて選択された運転コースを実行して前記洗濯兼脱水槽に投入された洗濯物を洗濯するとともに該洗濯物を乾燥する洗濯乾燥機において、前記洗濯兼脱水槽に付着した糸屑を除去する糸屑除去コースを設けたことを特徴とする洗濯乾燥機。
【請求項７】
前記糸屑除去コースの運転開始を指示する専用の操作キーを独立して設けたことを特徴とする請求項１〜請求項６のいずれかに記載の洗濯乾燥機。
【発明の詳細な説明】
【技術分野】
【０００１】
本発明は、洗濯物の洗濯及び乾燥を行う洗濯乾燥機に関する。
【背景技術】
【０００２】
従来の洗濯乾燥機は特許文献１に開示されている。この洗濯乾燥機は有底筒状の水槽内に洗濯物が投入される回転自在の洗濯兼脱水槽が配されている。洗濯兼脱水槽の上部には洗濯兼脱水槽内に給水する給水装置が設けられ、洗濯兼脱水槽の底部には回転自在の回転翼が配される。洗濯兼脱水槽内に給水して回転翼を回転することにより洗濯物の洗い及びすすぎが行われる。また、洗濯兼脱水槽を高速回転することにより洗濯物の脱水が行われる。
【０００３】
洗濯兼脱水槽の上部には洗濯兼脱水槽内に温風を供給する温風供給装置が設けられる。洗濯兼脱水槽を回転しながら温風供給装置を駆動して乾燥運転が行われる。乾燥運転により温風が洗濯物と接触し、洗濯物を乾燥することができる。また、洗濯兼脱水槽の側方には糸屑除去装置が設けられる。糸屑除去装置は乾燥運転中に温風の循環経路内を流通する糸屑を除去する。これにより、糸屑が洗濯物に付着することを防止できる。
【特許文献１】特開２００３−２７５４９７号公報（第２頁−第７頁、第１図）
【発明の開示】
【発明が解決しようとする課題】
【０００４】
しかしながら、上記従来の洗濯乾燥機によると、乾燥運転時に温風循環経路中に流入した糸屑は除去することができるが、洗濯兼脱水槽の周面や水槽の内面に付着した糸屑を除去することが困難である。これらの糸屑は次回の洗濯時等に洗濯兼脱水槽や水槽から剥離して洗濯物に付着する問題があった。また、洗濯兼脱水槽や水槽に糸屑が長期間付着した状態が継続されるとカビの発生の原因となり、衛生を悪化させる問題もあった。
【０００５】
本発明は、糸屑の除去をより確実に行うことのできる洗濯乾燥機を提供することを目的とする。
【課題を解決するための手段】
【０００６】
上記目的を達成するために本発明は、有底筒状の水槽と、前記水槽内に回転可能に配される洗濯兼脱水槽と、前記洗濯兼脱水槽内に給水する第１給水路を有する給水装置と、前記洗濯兼脱水槽内に温風を供給する温風供給装置とを備え、複数の運転コースから使用者の指示に基づいて選択された運転コースを実行して前記洗濯兼脱水槽に投入された洗濯物を洗濯するとともに該洗濯物を乾燥する洗濯乾燥機において、前記洗濯兼脱水槽の外周面に対向する放水口を有した第２給水路を前記給水装置に設け、前記洗濯兼脱水槽を回転しながら前記放水口から前記洗濯兼脱水槽の外周面に向けて放水して前記洗濯兼脱水槽に付着した糸屑を除去する糸屑除去コースを設けたことを特徴としている。
【０００７】
この構成によると、洗いコース、すすぎコース、脱水コース、乾燥コース等の運転コースが使用者により選択される。給水装置の第１給水路を介して洗濯兼脱水槽に給水して洗い及びすすぎが行われ、洗濯兼脱水槽を高速回転して脱水が行われる。また、洗濯兼脱水槽を回転しながら温風供給装置を駆動して乾燥が行われる。糸屑除去コースが選択されると、第２給水路を介して洗濯兼脱水槽の外周面に放水されるとともに、洗濯兼脱水槽が回転する。これにより、洗濯兼脱水槽の外周面に付着した糸屑が洗い流される。同時に第１給水路を開いて洗濯兼脱水槽の内周面に付着した糸屑を洗い流してもよい。
【０００８】
また本発明は、上記構成の洗濯乾燥機において、前記糸屑除去コースの運転時に前記洗濯兼脱水槽が第１回転数で回転する期間と第１回転数よりも高速な第２回転数で回転する期間とを設けたことを特徴としている。この構成によると、糸屑除去コースが開始されると、例えば、所定期間洗濯兼脱水槽が低速回転ながら洗濯兼脱水槽の外周面に放水され、その後に洗濯兼脱水槽が高速回転して洗濯兼脱水槽の外周面に放水される。
【０００９】
また本発明は、上記構成の洗濯乾燥機において、第１回転数で前記洗濯兼脱水槽が回転した際に前記放出口から放出した水が前記洗濯兼脱水槽の外周面を流下するとともに、第２回転数で前記洗濯兼脱水槽が回転した際に前記放出口から放出した水が前記洗濯兼脱水槽から飛散して前記水槽の内面に衝突することを特徴としている。
【００１０】
この構成によると、低速回転する洗濯兼脱水槽の外周面に放水された水が洗濯兼脱水槽を伝って流下する。また、高速回転する洗濯兼脱水槽の外周面に放水された水が洗濯兼脱水槽の遠心力により飛散して水槽に到達し、水槽の内面を流下する。
【００１１】
また本発明は、上記構成の洗濯乾燥機において、前記糸屑除去コースの運転時に第１給水路を閉止したことを特徴としている。
【００１２】
また本発明は、上記構成の洗濯乾燥機において、前記洗濯兼脱水槽内の洗濯物の有無を検知する洗濯物検知手段を設け、前記糸屑除去コースの運転開始時に前記洗濯兼脱水槽内の洗濯物の有無を判別し、洗濯物が有る場合に前記糸屑除去コースの運転を中止することを特徴としている。この構成によると、糸屑除去コースを選択すると洗濯兼脱水槽内に洗濯物があるか否かが判別され、洗濯兼脱水槽がある場合に糸屑除去コースの運転を中止して給水が行われない。
【００１３】
また本発明は、有底筒状の水槽と、前記水槽内に回転可能に配される洗濯兼脱水槽と、前記洗濯兼脱水槽内に給水する給水装置と、前記洗濯兼脱水槽内に温風を供給する温風供給装置とを備え、複数の運転コースから使用者の指示に基づいて選択された運転コースを実行して前記洗濯兼脱水槽に投入された洗濯物を洗濯するとともに該洗濯物を乾燥する洗濯乾燥機において、前記洗濯兼脱水槽に付着した糸屑を除去する糸屑除去コースを設けたことを特徴としている。
【００１４】
この構成によると、洗いコース、すすぎコース、脱水コース、乾燥コース等の運転コースが使用者により選択される。給水装置の第１給水路を介して洗濯兼脱水槽に給水して洗い及びすすぎが行われ、洗濯兼脱水槽を高速回転して脱水が行われる。また、洗濯兼脱水槽を回転しながら温風供給装置を駆動して乾燥が行われる。糸屑除去コースが選択されると、洗濯兼脱水槽に付着した糸屑が除去される。
【００１５】
また本発明は、上記構成の洗濯乾燥機において、前記糸屑除去コースの運転開始を指示する専用の操作キーを独立して設けたことを特徴としている。糸屑除去コース専用の操作キーの操作により糸屑除去コースが開始される。
【発明の効果】
【００１６】
本発明によると、洗濯兼脱水槽に付着した糸屑を除去する糸屑除去コースを設けたので、糸屑を確実に除去して洗濯物への糸屑の付着やカビの発生を防止することができる。また、洗濯兼脱水槽を回転しながら洗濯兼脱水槽の外周面に向けて放水するので、洗濯兼脱水槽の外周面に付着した糸屑を簡単に除去することができる。
【００１７】
また本発明によると、糸屑除去コースの運転時に洗濯兼脱水槽が第１回転数で回転する期間と第１回転数よりも高速な第２回転数で回転する期間とを設けたので、洗濯兼脱水槽の外周面の糸屑を簡単に除去できるとともに、水槽の内周面に付着した糸屑を簡単に除去することができる。
【００１８】
また本発明によると、洗濯兼脱水槽に放水された水は第１回転数のときに洗濯兼脱水槽の外周面を流下し、第２回転数のときに洗濯兼脱水槽から飛散するので、洗濯兼脱水槽の外周面及び水槽の内周面の糸屑を簡単に除去できる。
【００１９】
また本発明によると、糸屑除去コースの運転時に第１給水路を閉止したので、少ない給水量で糸屑を除去することができる。
【００２０】
また本発明によると、糸屑除去コースの運転開始時に洗濯兼脱水槽内の洗濯物の有無を判別し、洗濯物が有る場合に糸屑除去コースの運転を中止するので、乾燥後の洗濯物が濡れることを防止できる。
【００２１】
また本発明によると、糸屑除去コースの運転開始を指示する専用の操作キーを独立して設けたので、使用者が糸屑除去を簡単に実行することができ、カビの予防を日常的に行うことができる。
【発明を実施するための最良の形態】
【００２２】
以下に本発明の実施形態を図面を参照して説明する。図１は一実施形態の洗濯乾燥機を示す側面断面図である。洗濯乾燥機１は外槽３２で覆われ、懸架装置１６により懸垂防振支持される有底筒状の水槽２が外装３２内に配されている。水槽２の内部には鉛直方向の回転軸を有する洗濯兼脱水槽３が配される。
【００２３】
洗濯兼脱水槽３の周壁には多数の小孔３ａが形成され、内面には洗濯時の洗濯物から発生した糸屑を回収する糸屑フィルター２９が設けられる。洗濯兼脱水槽３の上部には洗濯兼脱水槽３の回転時のバランス修正を行うバランサー２０が設けられる。洗濯兼脱水槽３の底部には洗濯兼脱水槽３と同軸の回転翼４が回転自在に配される。
【００２４】
水槽２の下方には洗濯兼脱水槽３及び回転翼４を駆動する駆動装置１７が配される。駆動装置１７はモータ２６を有し、クラッチ機構１７ａの切り替えによって洗濯兼脱水槽３及び回転翼４の一方または両方を回転駆動する。
【００２５】
洗濯機１の上面は上蓋１３により開閉され、水槽２の上面は上蓋１３を開いた際に洗濯物が投入される開口部（不図示）を有した水槽カバー１０で覆われる。水槽カバー１０には開口部を開閉する内蓋１１が軸部１１ａで枢支されている。内蓋１１には後述する乾燥運転時に洗濯物の糸屑を捕集する排気フィルター１２が設けられる。
【００２６】
水槽２の上方後部には水槽２内に給水を行う給水装置３１が配される。給水装置３１は市水に接続される給水バルブ２１を有している。給水バルブ２１は２経路をそれぞれ開閉でき、一方の経路に給水ノズル２５（第１給水路）が接続されるとともに、他方の経路に導水管２４（第２給水路）が接続される。
【００２７】
水平に延びる給水ノズル２５の下方には水槽２の上面に向けて開口する給水ダクト２８を有した洗剤収納部２２が設けられる。洗剤収納部２２に装填される洗剤収納ケース２３に給水ノズル２５から散水し、給水ダクト２８を介して水槽２内に給水される。導水管２４は垂直に延び、洗濯兼脱水槽３の外周面に対向する放水口２４ａを有している。放水口２４ａはノズル状に形成され、洗濯兼脱水槽３の外周面に向かって放水できるようになっている。
【００２８】
水槽３の底面には排水ダクト２ａが導出される。排水ダクト２ａには排水バルブ１８を介して排水ホース１９が接続される。排水バルブ１８を開くことにより水槽２内の水を排水することができる。
【００２９】
洗濯機１の上面前部には操作パネル１５が設けられ、操作パネル１５の背面には洗濯機１の各部を制御する制御部１４が配される。図２は操作パネル１５を示す平面図である。操作パネル１５は複数の操作キー１５ａ及びＬＥＤから成る表示部１５ｂを有している。洗濯機１は制御部１４の制御によって複数の運転コースを実行可能になっている。
【００３０】
運転コースには、洗いコース、すすぎコース、脱水コース、乾燥コース、糸屑除去コース等が設けられる。また、洗濯物の種類や量に応じた運転コースが設けられる。表示部１５ｂは洗濯機１の運転状況を表示する。
【００３１】
操作キー１５ａは各運転コースに対応して設けられ、各運転コースの選択を受け付けて選択に基づいて各運転コースが実行される。また、操作キー１５ａにはスタートキー１５ｄが設けられ、スタートキー１５ｄの操作により予め選択された運転コースを順に行って洗濯及び乾燥を行うことができる。また、糸屑除去キー１５ｃは糸屑除去コースの選択専用に独立して設けられる。これにより、使用者が糸屑除去を簡単に実行することができ、後述するように、カビの予防を日常的に行うことができる。
【００３２】
図３は洗濯機１の前述の図１と異なる断面を示す側面断面図である。洗濯機１の上部後方には水槽２内に温風を供給する温風供給装置２７が設けられる。温風供給装置２７はケース５内に送風機６及びヒータ７を有し、送風機６の吸気側に対向して吸気フィルター８が配される。ケース５の排気側は水槽２内に開口する給気ダクト９に接続されている。
【００３３】
図４は洗濯機１の構成を示すブロック図である。制御部１４にはモータ２６、給水バルブ２１、排水バルブ１８、ヒータ７、送風機６及び操作パネル１５が接続される。制御部１４の制御によって各部が制御される。
【００３４】
上記構成の洗濯機１において、洗濯兼脱水槽３内に洗濯物を投入してスタートキー１５ｃの操作によって運転が開始される。まず、排水バルブ１８が閉じられ、給水バルブ２１を開いて水槽２内に給水される。所定の水位になると給水が停止され、クラッチ機構１７ａによってモータ２６と回転翼４とを連結して回転翼４が回転する。
【００３５】
これにより、洗濯物が攪拌され、洗い運転及びすすぎ運転が連続して行われる。洗い運転及びすすぎ運転中に洗濯物から発生した糸屑は糸屑フィルター２９により捕集される。洗いキー、すすぎキーの操作によって洗い運転及びすすぎ運転を単独に行うこともできる。
【００３６】
次に、排水バルブ１８を開いて水槽２内の水を排水し、クラッチ機構１７ａにより洗濯兼脱水槽３及び回転翼４がモータ２６に連結される。モータ２６によって洗濯兼脱水槽３を高速回転すると、洗濯物に含まれる水分が遠心力により飛散する。飛散した水は小孔３ａを介して洗濯兼脱水槽３から排出され、排水ホース１９を介して排水される。これにより、脱水運転が行われる。脱水キーの操作によって脱水運転を単独に行うこともできる。
【００３７】
次に、排水バルブ１８を閉じ、送風機６及びヒータ７がＯＮされる。送風機６の駆動により吸気フィルター８を介して外部から取り込まれる空気はヒータ７で昇温される。モータ２６は洗濯兼脱水槽３に連結され、洗濯兼脱水槽３を回転しながら給気ダクト９を介して水槽２内に温風が供給される。これにより、温風が洗濯物と接触して乾燥運転が行われる。乾燥運転中に洗濯物から発生した糸屑は排気フィルター１２により捕集される。乾燥キーの操作によって乾燥運転を単独に行うこともできる。
【００３８】
図５は糸屑除去コースの動作を示すフローチャートである。糸屑除去キー１５ｄが押下されると同図のフローチャートが呼び出され、制御部１４により実行される。ステップ＃１１では洗濯物検知手段によって洗濯兼脱水槽３内の洗濯物の有無が検知される。洗濯物検知手段は、回転翼４を低速回転し、モータ２６の負荷によって洗濯物の有無を検知する。赤外線センサー等のセンサーを設けて洗濯物の有無を検知してもよい。
【００３９】
ステップ＃１２では洗濯兼脱水槽３に洗濯物があるか否かが判断される。洗濯物がある場合は、ステップ＃２５で表示部１５ｂ等により報知して糸屑除去コースを終了する。洗濯物がない場合は、ステップ＃１３で第１モードか否かが判断される。糸屑除去コースには第１、第２モードが設けられ、操作パネル１５の操作により予め選択することができる。
【００４０】
第１モードは放水により洗濯兼脱水槽３の外周面及び水槽２の内周面に付着した糸屑を除去することができる。第２モードは水槽２に貯水して洗濯兼脱水槽３の内周面、洗濯兼脱水槽３の外周面、水槽２の内周面及び回転翼４に付着した糸屑を除去することができる。
【００４１】
第１モードが選択されている場合はステップ＃１４に移行する。ステップ＃１４では排水バルブ１８が開かれる。ステップ＃１５ではクラッチ機構１７ａにより洗濯兼脱水槽３がモータ２６に連結され、洗濯兼脱水槽３が回転する。ステップ＃１６では洗濯兼脱水槽３が所定の第１回転数に到達するまで待機する。第１回転数は、導水管２４から洗濯兼脱水槽３に放水した際に、水が飛散することなく洗濯兼脱水槽３の外周面を伝って流下する回転数に設定されている。
【００４２】
洗濯兼脱水槽３が第１回転数に到達すると、ステップ＃１７で給水バルブ２１により給水ノズル２５側の流路を閉じて導水管２４側の流路が開かれる。これにより、ノズル状の放水口２４ａから水が噴射され、洗濯兼脱水槽３の外周面に付着した糸屑が洗い流される。ステップ＃１８では放水を継続して所定時間が経過するとステップ＃１９に移行する。
【００４３】
ステップ＃１９では洗濯兼脱水槽３の回転数が第１回転数よりも大きな第２回転数に増加される。第２回転数は導水管２４から洗濯兼脱水槽３に放水した際に、洗濯兼脱水槽３に付着した水が遠心力により飛散する回転数に設定されている。これにより、洗濯兼脱水槽３から飛散した水が水槽２の内周面に到達し、水槽２の内周面に付着した糸屑を洗い流すことができる。ステップ＃２０では放水を継続して所定時間が経過すると糸屑除去コースを終了する。第１、第２回転数で回転する期間の順序を逆にしてもよい。
【００４４】
第２モードを選択した場合は、ステップ＃１３の判断によりステップ＃３１に移行する。ステップ＃３１では排水バルブ１８が閉じられる。ステップ＃３２では給水バルブ２１が開かれ、水槽２内に給水が開始される。ステップ＃３３では所定水位に到達するまで給水し、所定水位になるとステップ＃３４で給水バルブ２１が閉じられる。
【００４５】
ステップ＃３５ではクラッチ機構１７ａによってモータ２６と回転翼４が連結され、モータ２６の駆動により回転翼４が回転する。これにより、水槽２内を攪拌して水流が発生し、洗濯兼脱水槽３、水槽２及び回転翼４に付着した糸屑が洗い流される。ステップ＃３６では攪拌を継続し、所定時間が経過するとステップ＃３７で排水バルブ１８を開いて排水して糸屑除去コースを終了する。
【００４６】
本実施形態によると、洗濯兼脱水槽３に付着した糸屑を除去する糸屑除去コースを設けたので、糸屑を確実に除去して洗濯物への糸屑の付着を防止できる。また、長期間糸屑が付着することによるカビの発生を防止し、衛生の悪化を防止することができる。また、第１モードによって洗濯兼脱水槽３を回転しながら洗濯兼脱水槽３の外周面に向けて放水するので、洗濯兼脱水槽３の外周面に付着した糸屑を簡単に除去することができる。
【００４７】
また、糸屑除去コースの第１モード運転時に給水バルブ２１の給水ノズル２５側を閉じたので、第２モードよりも少ない給水量で糸屑を除去することができ、節水を図ることができる。
【００４８】
また、第２モード時では、水槽２内に貯水するため洗濯物脱水槽３の外周面や水槽２の内面に加えて、洗濯物脱水槽３の内面や回転翼４に付着した糸屑を簡単に除去することができる。尚、第１モード時に給水バルブ２１により給水ノズル２５への流路を開き、洗濯兼脱水槽３の内周面に付着した糸屑を洗い流してもよい。
【産業上の利用可能性】
【００４９】
本発明によると、洗濯及び乾燥を行う洗濯乾燥機に利用することができる。
【図面の簡単な説明】
【００５０】
【図１】本発明の実施形態の洗濯機を示す側面断面図
【図２】本発明の実施形態の洗濯機の操作パネルを示す平面図
【図３】本発明の実施形態の洗濯機の他の断面を示す側面断面図
【図４】本発明の実施形態の洗濯機の構成を示すブロック図
【図５】本発明の実施形態の洗濯機の糸屑除去コースの動作を示すフローチャート
【符号の説明】
【００５１】
１    洗濯機
２    水槽
３    洗濯兼脱水槽
４    回転翼
１２    排気フィルター
１８    排水バルブ
２１    給水バルブ
２４    導水管
２４ａ  放水口
２７    温風供給装置
２９    糸屑フィルター
３１    給水装置
３２    外槽
【図１】
2006314428.tif 000003
【図２】
2006314428.tif 000004
【図３】
2006314428.tif 000005
【図４】
2006314428.tif 000006
【図５】
2006314428.tif 000007